(57)【要約】【課題】低比重及び高緩衝力を持った発泡プラスチックを採用してブーメランの材質とすること。【解決手段】中心部及び三つの旋回アームを含み且つその重心回転軸と本体の中心が互いに重なり合った薄型の発泡本体と；それぞれの旋回アームには、基部及び翼部を有し、前記基部は前記中心部から周囲に向かって放射状を呈し、且つ等角度で一体となって外へ向かって伸張し、前記翼部は基部の尾端からある角度で一体となって外へ翼の先端へ伸張し、その翼部の主要幾何的パラメーターは中心線夾角及び斜面からなり、前記斜面はブーメランの底部に位置し、翼部前縁から翼の先端まで伸張し、前記翼部の外形断面はそれぞれ前縁・翼平面及び後縁によって構成される、このような中心線夾角を選ぶことによって、ブーメランの異なる飛行高度が得られると同時に、斜面によっても空気運動による揚力を増強し、ブーメランの旋回路線の高低及び旋回半径の大小を変更できる。【選択図】図１
2005130902.tif 000002
【特許請求の範囲】
【請求項１】
本体の中心点に重心回転軸を備える中心部と、
三つの旋回アームと、前記旋回アームには、それぞれ基部と翼部を有し、前記基部は、前記中心部の周囲に放射状を呈し且つ等角度で一体となって外へ伸長してなり、
前記翼部は、基部の尾端からある角度で一体となって翼部先端まで外へ向かって伸長し、
前記翼部の主要幾何的パラメーターは、中心線夾角及び斜面からなり、前記斜面は、ブーメランの底部に位置し、翼部の前縁から翼の先端まで伸張してなり、且つ翼部の伸張位置は、薄型発泡本体の二分の一半径のところから同時に１２度から３０度の中心線夾角度となって伸張していることを特徴とするブーメラン。
【発明の詳細な説明】
【技術分野】
【０００１】
本発明は、ブーメランに関するものであり、特に、中心部と三本の旋回アームを含み且つその重心回転軸が本体の中心と互いに重ねあった薄型の発泡本体からなるブーメランに関するものである。それぞれの旋回アームには、基部及び翼部を有し、前記基部は、前記中心部の周囲から放射状に且つ等角度で一体となって外部へ翼部の先端まで延長し、前記翼部は、基部の尾端からある角度で一体となって翼部先端まで外へ向かって伸長し、その翼部の主要幾何的パラメーターは、中心線の夾角及び斜面からなり、前記斜面は、ブーメランの底部に位置し、翼部の前縁から翼部先端の前縁迄延長してなり、前記翼部の外形断面はそれぞれ前縁・翼平面及び後縁からなり、このような中心線の夾角を選ぶことによってブーメランの異なる飛行高度が得られると共に、斜面によっても空気運動の時に生じる揚力を増やし、これによってブーメランの旋回軌跡の高低と旋回半径の大きさを変えることが出来る。
【背景技術】
【０００２】
ブーメラン(Boomerang)は、投げ出された後、旋回を続けてもとの所へ戻ってくる玩具及びスポーツである。現在、市販のブーメランには外形の設計上それぞれ多くの特別且つ新奇な形状があるが、しかし、基本的には、ブーメランの旋回アームの外形断面形状は、飛行機の翼断面に近く、ブーメランと空気が相対的運動をするとき、ブーメランの旋回アームの上に作用する揚力を生じさせ、ブーメランが前に向かって旋回及び運動をすると同時に、べノリー原理によって空気運動で揚力を生じ、元の位置へ戻るまで旋回を続けさせるものである。只、ブーメランが飛び続けて戻ってくる旋回飛行の安全性には、尚下記のような欠点があった、そこで、極力改良を試みた。
【０００３】
ブーメランの大部分の材質は木材或いはプラスチックで出来ていて、木材或いはプラスチックを採用して製造すると、ブーメランの旋回アームに十分な厚みと重さを与え、該旋回アームに空気運動によって揚力を生じさせることが出来る、しかし、硬い材質を使用して製造したブーメランは安全性が危惧され、使用者の年齢に一定の制限があった。
【０００４】
従来の発泡ブーメランは、アメリカ特許第5,490,678号特許請求（以下例証案という）にあるように、その主要構成は、複数のアームがブーメランの中央部から輻射状に拡張伸出し、該アームの輻射状軸夾角が、図４〜図６に示す如く、対称的にアームに分布した事を特徴としたものである；そして、その構成上の主要欠点は、前記例証案のアーム中心線の垂直断面形状が、すべてアームの中心線と対称になっており、このような断面設計では、例証案のブーメランが前に向かって旋回及び運動すると同時に、空気運動によって生成した揚力が、例証案のブーメランを上昇旋回させるときの上昇高度を比較的に高くし、持続的に迂回して旋回飛行する半径を比較的に大きくし、投げた手元へ飛んで帰らせることが容易ではない。
【０００５】
このように、上記従来のものには尚多くの欠点があり、良い設計ではないので、改良が待たれていた。
【０００６】
本発明者は上記従来のブーメランに派生する多くの各欠点に鑑み、極力改良を試み、且つ長年苦心して研究した結果、遂に本発明に係るブーメランの研究開発を完成した。
【発明の開示】
【発明が解決しようとする課題】
【０００７】
本発明の目的は、低比重及び高緩衝力を持った発泡プラスチックを採用してブーメランの材質とすることにある。
【０００８】
本発明のもう一つの目的は、柔らかで硬くなく、中心線の夾角を選ぶことによって各種旋回路線の高低及び旋回半径が異なるブーメランを提供することにある。
【課題を解決するための手段】
【０００９】
上記特許の目的を達成できる薄型発泡本体（ブーメラン）の解決手としては、中心部及び三本のアームを含み且つその重心回転軸が本体の中心と互いに重ねあった薄型の発泡本体と；それぞれの旋回アームには、基部及び翼部を有し、前記基部は、前記中心部の周囲から放射状に且つ等角度で一体となって外部へ伸長し、前記翼部は、基部の尾端からある角度で一体となって翼部の先端まで外へ向かって伸長し、その翼部の主要幾何的パラメーターは、中心線の夾角及び斜面からなり、前記斜面は、ブーメランの底部に位置し、翼部の前縁から翼部先端の前縁迄伸長してなり、前記翼部の外形断面はそれぞれ前縁・翼平面及び後縁からなる、このような中心線の夾角を選ぶことによって飛行高度の異なるブーメランが製造できると同時に、斜面の設計によっても、ブーメラン底部の揚力を増やし、前記ブーメランの比較的小さい旋回飛行範囲をもたらすことが出来る。
【発明の効果】
【００１０】
本発明が提供するブーメランは、前記例証案及びその他従来の技術と比較するとき、更に下記のような長所がある。
本発明は軟質の発泡材で薄型の発泡本体を形成し、一般の木材又はプラスチック材質のブーメランにとって代わり、製造するときは、原料を加熱するだけで、ポップコーンのように発泡して射出型に充満させ、膨張溶合させて軟質のブーメランを一体成型し、重量が軽いのみならず、人体に当たっても傷害をもたらすことがない。
本発明の基部と翼部の中心線夾角は１２度から３０度までに設計され、更に本発明の低比重軟質発泡材質を組合せ、中心線の夾角が比較的小さいときは、薄型発泡本体が上昇しやすく、且つ高い角度で戻ってくる、中心線の夾角が比較的大きいときは、薄型発泡本体の飛行路線は比較的低くて平らであり、低角度で戻ってくる。
【００１１】
上記の詳細な説明は、本発明の好ましい一実施例の具体的説明であり、但し該実施例は本発明の特許請求範囲を制限するものではなく、凡そ本発明の技術精神によってなされる同等効果の実施又は変更は、すべて本発明の特許請求範囲に含まれるものとする。
【発明を実施するための最良の形態】
【００１２】
図１〜図３を参照して、本発明が提供するブーメランは、主として、中心部１１及び三本の旋回アーム１２を含み且つその重心回転軸が本体の中心と互いに重ねあった薄型の発泡本体１と、前記薄型の発泡本体１の旋回アーム１２に備わる基部１２１及び翼部１２２とを含む。前記基部１２１は、前記中心部１１の周囲から放射状に且つ等角度で一体となって外部へ翼部の先端１２３まで延長され、前記翼部１２２は、基部１２１の尾端からある角度で一体となって翼部先端まで外へ向かって伸長し、その翼部１２２の主要幾何的パラメーターは、中心線の夾角θ１及び斜面１４からなり、前記斜面１４は、ブーメランの底部に位置し、翼部１２２の前縁１３１から翼部先端１２３前縁１３１迄延長してなる。
【００１３】
図３（Ａ）〜（Ｃ）を参照して、前記翼部１２２の翼断面はそれぞれ前縁１３１、翼平面１３２及び後縁１３３によって構成され、このほか、下記のような重要な名称がついている。＜１＞翼弦の幅（Ｗ）：翼部１２２の前縁１３１から後縁１３３まで、その幅は約７０ｍｍ以下である。＜２＞翼の厚み（Ｈ）：翼部１２２の厚み、約８ｍｍ〜２０ｍｍ。＜３＞翼の先端１２３：翼部１２２から外に向かって延びた最外側の点。
【００１４】
ところで、ブーメランは右手用と左手用の二種類に分けられ、いずれにしても、握る時やや弧度のある一面が必ず内に（投げる者）向かっており、平面部分は外に向かっている。本発明に係るブーメランについて先ず右手用を一例として説明すると、ブーメランが投げ出された瞬間、薄型発泡本体１の表面角度は垂直線に近いものでなければならず（該表面角度は、風速の大小とブーメランの種類が異なることによって違いがある）、投げ出されたあと、基部１２１と翼部１２２の特殊翼断面（断面は飛行機の機翼形状に近似）と中心線夾角θ１とが、基部１２１及び翼部１２２の一側に対して気流の推力を形成させ、且つ別の一側においては揚力となり、その揚力の方向は、投げる者の側から見て右から左に向かっている。且つ基部１２１と翼部１２２の重心上方の速度がより速く（前方飛行プラス旋回）、生じる揚力がより大きく、重心下方の速度はより遅く（前方飛行マイナス旋回）、生じる揚力がより小さく、この揚力の差異が薄型発泡本体１に作用する力のモーメントを形成し、薄型発泡本体１を左に向かって旋回させる、然るに本発明に係る基部１２１と翼部１２２の中心線夾角θ１は、１２度から３０度に設計され、中心線夾角θ１の角度がより小さい時は、薄型発泡本体１は上昇しやすく、且つ高い角度で飛び戻ってくる；中心線夾角θ１の角度がより大きい時は、薄型発泡本体１の飛行路線は比較的低く平らであり、低い角度で戻ってくる。
【００１５】
と同時に、各基部１２１と翼部１２２においても、重心の前方及び重心の後方に干渉気流が生じ、揚力の違いをもたらす。一般的に、重心が前方にあるときは揚力がより大きく、重心が後方にあるときは揚力がより小さく、前方・後方の差異によって形成された力のモーメントが薄型発泡本体１を次第に右へ反り返らせる、本発明に係るブーメランは、その基部１２１と翼部１２２の中心線夾角θ１を１２度から３０度に設計してあり、この設計によって比較的低く平らな飛行路線を作り、且つ夾角θ１の大小によって飛行路線に高低の別がある各タイプの製品を作ることが出来る。従って、薄型発泡本体１は旋回すると同時に次第に右へ反り返りながら上昇し、最高点まで上昇すると、前記薄型発泡本体１は、残りの旋回慣性質量によって舞い戻る、従って、前記薄型発泡本体１の飛行旋回半径は旋回慣性質量と正比例し、且つ揚力と反比例する。そして、本発明に係る斜面１４は、ブーメランの底部にあって翼部１２２の前縁１３１から翼部の先端１２３の前縁１３１まで伸張しており、この斜面１４の設計によってブーメランの底部の揚力を増加させ、旋回飛行して戻る路線及び旋回半径の大小を変えることが出来る。
【図面の簡単な説明】
【００１６】
【図１】本発明ブーメランの中心線夾角を説明する略図
【図２】図１のブーメランの平面図
【図３】（Ａ）：本発明ブーメランのＡ−Ａ断面図、（Ｂ）：本発明ブーメランのＢ−Ｂ断面図、（Ｃ）：本発明ブーメランのＣ−Ｃ断面図
【図４】従来のブーメランの略図
【図５】従来のブーメランのアーム中心線と断面位置の略図
【図６】（Ａ）：従来のブーメランのＡ−Ａ断面図、（Ｂ）：従来のブーメランのＢ−Ｂ断面図、（Ｃ）：従来のブーメランのＣ−Ｃ断面図、（Ｄ）：従来のブーメランのＤ−Ｄ断面図
【符号の説明】
【００１７】
１・・・薄型発泡本体
１１・・中心部
１２・・旋回アーム
１２１・基部
１２２・翼部
１２３・翼部先端
θ１・・中心線夾角
Ｗ・・・翼弦の幅
Ｈ・・・翼の厚み
１３１・前縁
１３２・翼平面
１３３・後縁
１４・・斜面
【図１】
2005130902.tif 000003
【図２】
2005130902.tif 000004
【図３】
2005130902.tif 000005
【図４】
2005130902.tif 000006
【図５】
2005130902.tif 000007
【図６】
2005130902.tif 000008